(57)【要約】【課題】食品の栄養成分等の含有量に関する適切な表示を行うことができる情報出力装置、ラベルプリンタおよびプログラムを提供する。【解決手段】実施形態の情報出力装置は、受付手段と、判定手段と、情報出力手段を備える。受付手段は、商品の識別情報を受付ける。判定手段は、前記受付手段が受付けた前記識別情報の前記商品が含有する栄養成分の含有量を記憶部から読み込んで、読み込んだ前記栄養成分の含有量と、前記栄養成分の含有量に関する表示を行ってよい表示許容範囲を示す基準値とを比較して、前記商品に対して前記栄養成分の含有量に関する表示を行ってよいか否かを判定する。情報出力手段は、前記商品に対して前記栄養成分の含有量に関する表示を行ってよいと判定された場合に、前記栄養成分の含有量に関する情報を出力する。【選択図】図３
2011201293.tif 000002
【特許請求の範囲】
【請求項１】
商品の識別情報を受付ける受付手段と、
前記受付手段が受付けた前記識別情報の前記商品が含有する栄養成分の含有量を記憶部から読み込んで、読み込んだ前記栄養成分の含有量と、前記栄養成分の含有量に関する表示を行ってよい表示許容範囲を示す基準値とを比較して、前記商品に対して前記栄養成分の含有量に関する表示を行ってよいか否かを判定する判定手段と、
前記商品に対して前記栄養成分の含有量に関する表示を行ってよいと判定された場合に、前記栄養成分の含有量に関する情報を出力する情報出力手段と、
を備える情報出力装置。
【請求項２】
前記判定手段は、前記商品に含まれている少なくとも１つの前記栄養成分の含有量が、前記表示許容範囲の下限値である第１の基準値より多いか判定し、
前記情報出力手段は、前記栄養成分の含有量が前記第１の基準値より多い場合に、前記商品によって当該栄養成分の補給ができる旨の情報を出力する、
請求項１に記載の情報出力装置。
【請求項３】
前記判定手段は、前記商品に含まれている少なくとも１つの前記栄養成分の含有量が、前記表示許容範囲の上限値である第２の基準値より少ないか判定し、
前記情報出力手段は、前記栄養成分の含有量が前記第２の基準値より少ない場合に、前記商品によって当該栄養成分を適切に摂取できる旨の情報を出力する、
請求項１または２に記載の情報出力装置。
【請求項４】
商品の識別情報を受付ける受付手段と、
前記受付手段が受付けた前記識別情報の前記商品が含有する栄養成分の含有量を記憶部から読み込んで、読み込んだ前記栄養成分の含有量と、前記栄養成分の含有量に関する表示を行ってよい表示許容範囲を示す基準値とを比較して、前記商品に対して前記栄養成分の含有量に関する表示を行ってよいか否かを判定する判定手段と、
前記商品に対して前記栄養成分の含有量に関する表示を行ってよいと判定された場合に、前記栄養成分の含有量に関する情報を出力する情報出力手段と、
前記情報出力手段が出力した前記栄養成分の含有量に関する情報を印刷媒体に印刷するプリンタと、
を備えるラベルプリンタ。
【請求項５】
前記判定手段は、前記商品に含まれている少なくとも１つの前記栄養成分の含有量が、前記表示許容範囲の下限値である第１の基準値より多いか判定し、
前記情報出力手段は、前記栄養成分の含有量が前記第１の基準値より多い場合に、前記商品によって当該栄養成分の補給ができる旨の情報を出力する、
請求項４に記載のラベルプリンタ。
【請求項６】
前記判定手段は、前記商品に含まれている少なくとも１つの前記栄養成分の含有量が、前記表示許容範囲の上限値である第２の基準値より少ないかを判定し、
前記情報出力手段は、前記栄養成分の含有量が前記第２の基準値より少ない場合に、前記商品によって当該栄養成分を適切に摂取できる旨の情報を出力する、
請求項４または５に記載のラベルプリンタ。
【請求項７】
情報処理装置を制御するコンピュータを、
商品の識別情報を受付ける受付手段と、
前記受付手段が受付けた前記識別情報の前記商品が含有する栄養成分の含有量を記憶部から読み込んで、読み込んだ前記栄養成分の含有量と、前記栄養成分の含有量に関する表示を行ってよい表示許容範囲を示す基準値とを比較して、前記商品に対して前記栄養成分の含有量に関する表示を行ってよいか否かを判定する判定手段と、
前記商品に対して前記栄養成分の含有量に関する表示を行ってよいと判定された場合に、前記栄養成分の含有量に関する情報を出力する情報出力手段と、
として機能させるためのプログラム。
【発明の詳細な説明】
【技術分野】
【０００１】
本発明の実施形態は、情報出力装置、ラベルプリンタおよびプログラムに関する。
【背景技術】
【０００２】
近年、健康志向が高まる中で、食料品に含まれる栄養成分やカロリーなどの含有量について消費者に分かりやすく表示することが望まれている。特許文献１には、商品に含まれる栄養成分が基準値に対してどの程度含まれているかをグラフ表示して印刷するラベルプリンタに関する技術が開示されている。
【０００３】
しかしながら、上述のようにグラフ表示されている場合、複数の栄養素に関する情報が全て含まれるため、商品陳列棚から商品を選ぶ際には表示が見にくく、消費者が知りたい情報をひと目で見分けづらいという問題があった。
【０００４】
これに対し、含有量の多い栄養素やカロリーが少ない商品に対して「鉄分たっぷり」や「カロリーひかえめ」などの強調表示をラベルに印刷すれば、消費者に対して食品の情報を分かりやすく示すことができる。
【発明の概要】
【発明が解決しようとする課題】
【０００５】
ところで、どの程度の含有量なら強調表示することが可能かということについては、強調表示してよい強調表示許容範囲が強調表示のガイドラインとして一般的に定められており、このガイドラインに従って適切な強調表示を行なわなければならない。
【０００６】
本発明は、上記に鑑みてなされたものであって、食品の栄養成分等の含有量に関する適切な表示を行うことができる情報出力装置、ラベルプリンタおよびプログラムを提供することを目的とする。
【課題を解決するための手段】
【０００７】
実施形態の情報出力装置は、受付手段と、判定手段と、情報出力手段を備える。受付手段は、商品の識別情報を受付ける。判定手段は、前記受付手段が受付けた前記識別情報の前記商品が含有する栄養成分の含有量を記憶部から読み込んで、読み込んだ前記栄養成分の含有量と、前記栄養成分の含有量に関する表示を行ってよい表示許容範囲を示す基準値とを比較して、前記商品に対して前記栄養成分の含有量に関する表示を行ってよいか否かを判定する。情報出力手段は、前記商品に対して前記栄養成分の含有量に関する表示を行ってよいと判定された場合に、前記栄養成分の含有量に関する情報を出力する。
【図面の簡単な説明】
【０００８】
【図１】図１は、実施形態にかかるラベルプリンタの外観を示す斜視図である。
【図２】図２は、第１プリンタが本体から引き出された状態を示す斜視図である。
【図３】図３は、ラベルプリンタのハードウェア構成を示すブロック図である。
【図４】図４は、商品別栄養成分マスタを説明する図である。
【図５】図５は、基準値テーブルの一例を示す図である。
【図６】図６は、印刷設定テーブルの一例を示す図である。
【図７】図７は、メッセージ設定テーブルの一例を示す図である。
【図８】図８は、ラベルプリンタの機能的構成を示す機能ブロック図である。
【図９−１】図９−１は、第１プリンタが印刷するラベルの一例を示す図である。
【図９−２】図９−２は、第２プリンタが印刷するラベルの一例を示す図である。
【図１０】図１０は、第１プリンタが印刷するラベルのその他の例を示す図である。
【図１１】図１１は、ラベルプリンタが行うラベル印刷処理の手順を示すフローチャートである。
【図１２】図１２は、実施形態にかかる強調表示を表示した電子棚札を示す図である。
【図１３】図１３は、栄養機能食品に対する基準値テーブルを示す図である。
【図１４】図１４は、栄養機能食品に対するメッセージ設定テーブルの一例を示す図である。
【発明を実施するための形態】
【０００９】
図１は、実施形態にかかるラベルプリンタ１の外観を示す斜視図である。以下では、実施形態の情報出力装置を、食品等の商品に関連する情報を印刷したラベルを発行するラベルプリンタに適用した例を示す。
【００１０】
ラベルプリンタ１は、商品に関連する情報をラベルに印刷し、印刷したラベルを発行するものである。ラベルプリンタ１の本体２の上部には液晶ディスプレイ３などの表示器が設けられている。液晶ディスプレイ３は、ラベルに印刷する商品情報などを編集するラベル編集画面を表示する。また、液晶ディスプレイ３の表面にはタッチパネル４が設けられている。また、ラベルプリンタ１の本体２の上面にはキーボード５が設けられている。また、ラベルプリンタ１の本体２の正面下部には、商品を載置して商品の重量を秤量する計量秤８が設けられている。
【００１１】
また、ラベルプリンタ１の本体２には、第１プリンタ６と、第２プリンタ７との２つのプリンタユニットが並設されて収容されている。第１プリンタ６および第２プリンタ７は同様の構成であるので、以下では第１プリンタ６について説明する。第１プリンタ６は、第１プリンタ６の前面パネル下部に設けられた溝部６ａに指を掛けてＡ方向に引っ張ることで、図２に示すように本体２から引き出すことができる。
【００１２】
図２は、第１プリンタ６が本体２から引き出された状態を示す斜視図である。第１プリンタ６の内部には、ラベルを台紙に貼付したロール状のラベル用紙Ｐが図示しない保持軸に着脱自在に保持されている。また、第１プリンタ６は、サーマルヘッド等のプリンタヘッド１６を備えている。プリンタヘッド１６はラベル用紙Ｐに文字や記号、バーコードや２次元コード等を印刷する。このように印刷されたラベルは、第１プリンタ６の前面パネル上部に設けられたラベル発行口６ｂから排出される。尚、第２プリンタ７も同様に、ラベル発行口７ｂと、プリンタヘッド１７（図３参照）とを備えている。
【００１３】
次に、ラベルプリンタ１のハードウェア構成について説明する。図３は、ラベルプリンタ１のハードウェア構成を示すブロック図である。
【００１４】
図３に示すように、ラベルプリンタ１は、ＣＰＵ２０と、ＲＯＭ（Read  Only  Memory）１１と、ＲＡＭ（Random  Access  Memory）３０とを備えており、各部がバス１３や各種インターフェースで接続されている。ＣＰＵ２０は、ＲＯＭ１１に格納されたプログラムをＲＡＭ３０に展開して実行することで、ラベルプリンタ１のシステム全体を制御する制御部２１（図８参照）として機能する。
【００１５】
また、ＣＰＵ２０には、バス１３やその他のインターフェースを介して、図１、２で示した液晶ディスプレイ３、タッチパネル４、キーボード５、計量秤８、第１プリンタ６および第２プリンタ７が接続されている。
【００１６】
ＲＡＭ３０は、図３に示すように商品別栄養成分マスタ３１と、基準値テーブル３２と、印刷設定テーブル３３と、メッセージ設定テーブル３４とを格納している。次に、これらのデータベースについて図４ないし図６を用いて説明する。
【００１７】
図４は、商品別栄養成分マスタ３１を説明する図である。図４に示すように、商品別栄養成分マスタ３１は、各商品コードの商品に対して当該商品１００ｇあたりに含まれる各栄養成分の含有量を設定している。栄養成分としては、熱量や、たんぱく質、脂質、炭水化物、ナトリウム、カルシウム、糖類、食物繊維などが設定される。これら栄養成分の設定順序はラベルに表示される場合の表示順序と対応している。
【００１８】
一般に、強調表示には、「鉄分豊富」や「カルシウム添加」など、その食品により栄養成分が補給できる旨の表示と、「糖分ゼロ」や「カロリー控えめ」など、その食品により栄養成分の適切な摂取ができる旨の表示との２種類がある。また、強調表示は、自治体等が定める栄養表示方法のガイドラインによって、所定の基準値を満たしている場合にのみ強調表示してよいと定められている。
【００１９】
そこで、本実施の形態の基準値テーブル３２は、栄養成分に対して強調表示してよい強調表示許容範囲を上述のガイドラインに基づいて設定している。
【００２０】
図５は、基準値テーブル３２の一例を示す図である。基準値テーブル３２には、各栄養成分の含有量に関する表示を行ってよい表示許容範囲を示す基準値が、各自治体等のガイドラインに基づいて設定される。即ち、基準値テーブル３２には、各栄養成分に対して、強調表示許容範囲の下限値である第１の基準値と、強調表示許容範囲の上限値である第２の基準値との少なくともいずれか一方を設定している。
【００２１】
即ち、第１の基準値とは、商品に含まれる栄養成分の含有量がその値より多い場合に、その栄養成分の補給ができる旨の強調表示をすることができる基準値のことである。第１の基準値は、図５に示すように、たんぱく質やカルシウム、食物繊維など、健康の保持増進のために補給した方がよい栄養成分に対して設定される。
【００２２】
図５に示すように、各栄養成分に対する第１の基準値は、たんぱく質については商品１００ｇあたり１５ｇ、カルシウムについては商品１００ｇあたり２１０ｍｇなどと設定されている。この場合、たんぱく質の強調表示許容範囲は、１００ｇあたり１５ｇより多い範囲であり、カルシウムの強調表示許容範囲は、１００ｇあたり２１０ｍｇより多い範囲である。
【００２３】
また、第２の基準値とは、商品に含まれる栄養成分の含有量がその値より少ない場合に、その栄養成分を適切に摂取できる旨の強調表示をすることができる基準値のことである。第２の基準値は、図５に示すように、熱量や脂質、ナトリウム、糖類など、健康の保持増進のために適切な量を摂取した方がよい栄養成分に対して設定される。
【００２４】
図５に示すように、各栄養成分に対する第２の基準値は、熱量については商品１００ｇあたり５ｋｃａｌ、脂質については商品１００ｇあたり０．５ｇなどと、第２の基準値が各栄養成分に対して設定されている。この場合、熱量の強調表示許容範囲は、１００ｇあたり５ｋｃａｌより少ない範囲であり、脂質の強調表示許容範囲は、１００ｇあたり０．５ｇより少ない範囲である。
【００２５】
図６は、印刷設定テーブル３３の一例を示す図である。印刷設定テーブル３３は、商品に含まれる栄養成分の含有量が第１の基準値または第２の基準値による基準を満たしている場合（即ち、強調表示許容範囲内である場合）に、対応する強調表示のメッセージをラベルに印刷するか否かを設定している。印刷設定テーブル３３は、図６に示すように、ラベルにメッセージを印刷する場合にはフラグが１と設定され、ラベルにメッセージを印刷しない場合にはフラグが０と設定される。このフラグをＣＰＵ２０が読み込むことにより、強調表示を印刷するか否かを判定することができる。すなわち、図６の例では、食物繊維が第１の基準値より多い場合と、ナトリウムが第２の基準値より少ない場合にのみ、強調表示をするよう設定されている。
【００２６】
このようにすることにより、栄養成分が第１の基準値または第２の基準値による基準を満たしている場合であっても、強調表示をするかしないかを栄養成分ごとに設定しておくことが可能となる。また、複数の栄養成分が第１の基準値または第２の基準値による基準を満たしている場合であっても、強調表示をする栄養成分を選択することができる。これにより、ラベルに強調表示を複数羅列するのではなく、強調したい栄養成分を選んで、シンプルに強調表示することができる。
【００２７】
図７は、メッセージ設定テーブル３４の一例を示す図である。メッセージ設定テーブル３４には、栄養成分の含有量に関する情報として、ラベルに表示される各メッセージが設定される。より詳細には、図７に示すように、メッセージ設定テーブル３４は、商品に含まれる栄養成分が第１の基準値より多い場合および第２の基準値より少ない場合に強調表示としてラベルに表示されるメッセージを、各栄養成分に対してそれぞれ設定している。例えば、図７に示すように、食物繊維が第１の基準値より多い場合に対する強調表示として、「食物繊維たっぷり！」というメッセージが設定されている。また、脂質が第２の基準値より少ない場合に対する強調表示として、「脂質ひかえめ」というメッセージが設定されている。
【００２８】
次に、ラベルプリンタ１の機能的構成について説明する。図８は、ラベルプリンタ１の機能的構成を示す機能ブロック図である。図８に示すように、ラベルプリンタ１の制御部２１は、商品コード受付部２２と、栄養成分読込部２３と、栄養成分判定部２４と、印刷設定判定部２５と、メッセージ読込部２６と、印刷制御部２７とを主に備えている。
【００２９】
商品コード受付部２２は、オペレータがタッチパネル４またはキーボード５を用いて上述のラベル編集画面から商品コードを入力した場合に、入力された商品コードを受付ける。また、商品コード受付部２２は、オペレータがラベル編集画面において商品名を入力して商品を検索し、検索結果から商品が選択された場合に当該商品の商品コードを受付けるとしてもよい。
【００３０】
栄養成分読込部２３は、商品コード受付部２２が受付けた商品コードの商品が１００ｇあたりに含む各栄養成分の含有量を、商品別栄養成分マスタ３１（図４参照）からＲＡＭ３０のワークエリアに読み込む。
【００３１】
栄養成分判定部２４は、栄養成分読込部２３がＲＡＭ３０のワークエリアに読み込んだ各栄養成分の含有量が、基準値テーブル３２（図５参照）が設定する各栄養成分の強調表示許容範囲に入っているか否か、栄養成分ごとに判定する。すなわち、栄養成分判定部２４は、商品における栄養成分の含有量が、第１の基準値より多いか否か判定し、また、第２の基準値より少ないか否か判定する。このようにして、栄養成分判定部２４は、この商品に対して各栄養成分の含有量に関する表示を行ってよいか否かを判定する。
【００３２】
印刷設定判定部２５は、上述のように栄養成分判定部２４が栄養成分の含有量は強調表示許容範囲内であると判定した場合に、その栄養成分に対して設定されているフラグの値を印刷設定テーブル３３（図６参照）から読み取って、１か０かを判定する。
【００３３】
フラグが１である場合に、印刷設定判定部２５は、強調表示のメッセージを第１プリンタ６または第２プリンタ７に出力して、ラベルにメッセージを印刷すると判定する。一方、フラグが０である場合に、印刷設定判定部２５は、強調表示のメッセージは出力せず、ラベルにメッセージを印刷しないと判定する。
【００３４】
メッセージ読込部２６は、印刷設定判定部２５がメッセージを印刷すると判定した場合に、メッセージ設定テーブル３４（図７参照）から該当する栄養成分に対して設定されたメッセージをＲＡＭ３０の印字バッファに読み込む。
【００３５】
印刷制御部２７は、上述のように、メッセージ読込部２６が読み込んだ強調表示のメッセージを第１プリンタ６または第２プリンタ７に出力する。さらに、印刷制御部２７は、ラベル編集画面で編集されたその他の表示データを、プリンタヘッド１６およびプリンタヘッド１７に出力してラベルＬ１（図９−１参照）、Ｌ２（図９−２参照）を印刷する。
【００３６】
図９−１は、第１プリンタ６が印刷するラベルＬ１の一例を示す図である。印刷制御部２７はラベル編集画面で編集されたラベル表示データに基づいて、従来一般的に発行されているラベルＬ１をプリンタヘッド１６により印刷し、ラベル発行口６ｂから発行する。
【００３７】
図９−２は、第２プリンタ７が印刷するラベルＬ２の一例を示す図である。印刷制御部２７は、メッセージ読込部２６がＲＡＭ３０の印字バッファに読み込んだ強調表示のメッセージや商品の栄養成分含有量などの表示データを、プリンタヘッド１７によりラベルＬ２に印刷し、ラベル発行口７ｂから発行する。図９−２に示すように、ラベルＬ２には「食物繊維たっぷり！」という強調表示のメッセージが印刷され、消費者は商品の栄養成分の特徴をひと目でとらえることができる。
【００３８】
また、印刷制御部２７は、第１プリンタ６または第２プリンタ７のいずれか一方のみを用いて、強調表示のメッセージおよびその他の商品情報を同一のラベルに併記して印刷してもよい。図１０は、第１プリンタ６が印刷するラベルＬ３を示す図である。印刷制御部２７は、第１プリンタ６を制御して、メッセージ読込部２６が読み込んだメッセージをその他の商品情報とともにプリンタヘッド１６に出力する。第１プリンタ６は、プリンタヘッド１６によりラベルＬ３を印刷し、印刷したラベルをラベル発行口６ｂから発行する。
【００３９】
図１０に示すように、ラベルＬ３には、商品名やバーコード、商品価格とともに「食物繊維たっぷり！」という強調表示のメッセージが併記される。このように従来の商品表示に合わせて強調表示を印刷することで、印刷領域をコンパクトにまとめることが可能となる。尚、図９−１、図９−２に示すようにラベルＬ１、Ｌ２の２枚に分けて印刷するか、ラベルＬ３として１枚にまとめるかは、上述のラベル編集画面で設定することができる。
【００４０】
次に、ラベルプリンタ１が行うラベル印刷処理の手順について説明する。図１１は、ラベルプリンタ１が行うラベル印刷処理の手順を示すフローチャートである。
【００４１】
まず、商品コード受付部２２は、液晶ディスプレイ３に表示されたラベル編集画面から商品の商品コードの入力を受付ける（ステップＳ１）。栄養成分読込部２３は、ステップＳ１で受付けた商品コードの商品が１００ｇあたりに含む各栄養成分の含有量を、商品別栄養成分マスタ３１（図４参照）からＲＡＭ３０のワークエリアに読み込む（ステップＳ２）。
【００４２】
栄養成分判定部２４は、１つ目の栄養成分（図４の例では熱量）について栄養成分の含有量が、基準値テーブル３２（図５参照）に設定されている１００ｇあたりの第１の基準値より多いか判定する（ステップＳ３）。
【００４３】
第１の基準値より多い場合（ステップＳ３：Ｙｅｓ）にはステップＳ４に移行する。そして、印刷設定判定部２５は印刷設定テーブル３３（図６参照）を参照して、第１の基準値より多い場合に対してフラグが１か判定する（ステップＳ４）。フラグが１である場合（ステップＳ４：Ｙｅｓ）、メッセージ読込部２６はメッセージ設定テーブル３４（図７参照）から第１の基準値より多い場合に対して設定されたメッセージをＲＡＭ３０の印字バッファに展開する（ステップＳ５）。フラグが０である場合（ステップＳ４：Ｎｏ）にはステップＳ９に移行する。
【００４４】
これに対し、第１の基準値より少ない場合（ステップＳ３：Ｎｏ）にはステップＳ６に移行する。栄養成分判定部２４は、１つ目の栄養成分について栄養成分の含有量が、基準値テーブル３２に設定されている１００ｇあたりの第２の基準値より少ないか判定する（ステップＳ６）。第２の基準値より多い場合（ステップＳ６：Ｎｏ）にはステップＳ９に移行する。第２の基準値より少ない場合（ステップＳ６：Ｙｅｓ）には、印刷設定判定部２５が印刷設定テーブル３３を参照して、第２の基準値より少ない場合に対してフラグが１か判定する（ステップＳ７）。フラグが１である場合（ステップＳ７：Ｙｅｓ）、メッセージ読込部２６はメッセージ設定テーブル３４（図７参照）から第２の基準値より少ない場合に対して設定されたメッセージをＲＡＭ３０の印字バッファに展開する（ステップＳ８）。フラグが０である場合（ステップＳ７：Ｎｏ）にはステップＳ９に移行する。
【００４５】
ステップＳ９において、制御部２１はステップＳ２でＲＡＭ３０のワークエリアに読み込んだ全ての栄養成分について含有量の比較を行ったか判定する。比較していない栄養成分がある場合（ステップＳ９：Ｎｏ）には、ステップＳ３に戻って次の栄養成分の含有量について判定を行う。
【００４６】
全ての栄養成分について比較を行った場合（ステップＳ９：Ｙｅｓ）には、印刷制御部２７は第１プリンタ６および第２プリンタ７を制御してラベルＬ１（図９−１参照）、Ｌ２（図９−２参照）を印刷する（ステップＳ１０）。或いは、印刷制御部２７は第１プリンタ６を制御してラベルＬ３（図１０参照）を印刷する（ステップＳ１０）。
【００４７】
なお、本実施形態のラベルプリンタ１で実行されるプログラムは、ＲＯＭ等に予め組み込まれて提供される。本実施形態のラベルプリンタ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４８】
さらに、本実施形態のラベルプリンタ１で実行されるプログラムを、インターネット等のネットワークに接続されたコンピュータ上に格納し、ネットワーク経由でダウンロードさせることにより提供するように構成しても良い。また、本実施形態のラベルプリンタ１で実行されるプログラムをインターネット等のネットワーク経由で提供または配布するように構成しても良い。
【００４９】
本実施の形態のラベルプリンタ１で実行されるプログラムは、上述した各部（商品コード受付部２２、栄養成分読込部２３、栄養成分判定部２４、印刷設定判定部２５、メッセージ読込部２６、印刷制御部２７）を含むモジュール構成となっており、実際のハードウェアとしてはＣＰＵ（プロセッサ）が上記ＲＯＭからプログラムを読み出して実行することにより上記各部が主記憶装置上にロードされ、商品コード受付部２２、栄養成分読込部２３、栄養成分判定部２４、印刷設定判定部２５、メッセージ読込部２６、印刷制御部２７が主記憶装置上に生成されるようになっている。
【００５０】
尚、上述では情報出力装置としてラベルプリンタを適用する例を示したが、これに限定されることなく、レシートやその他の用紙等、記録媒体に各種情報を印刷するその他のプリンタに本実施の形態の情報出力装置を適用するとしてもよい。
【００５１】
また、上述では、記憶装置としてＲＡＭ３０に商品別栄養成分マスタ３１と、基準値テーブル３２と、印刷設定テーブル３３と、メッセージ設定テーブル３４とを格納するとしたが、記憶装置はＲＡＭ３０に限定されるものではない。その他の例として、ラベルプリンタ１にＨＤＤ（Hard  Disk  Drive）を備えて、当該ＨＤＤを上述の記憶装置として用いてもよい。
【００５２】
また、ラベルプリンタ１とネットワークで接続されたデータサーバ等に、商品別栄養成分マスタ３１、基準値テーブル３２、印刷設定テーブル３３、メッセージ設定テーブル３４を格納し、ラベルプリンタ１はネットワークを介して当該データサーバから各データを読み込むとしてもよい。
【００５３】
尚、上述では、印刷設定テーブル３３に設定されたフラグの値によって、該当する栄養成分に関するメッセージをラベルに印刷するか否かを判定するとしたが、これ以外の判定法によってラベル印刷の可否を判定するとしてもよい。即ち、一例として、ラベルプリンタ１は、基準値との比較に基づいて最も顕著に含まれている栄養成分、或いは最も含有量が低く抑えられている栄養成分を判定し、その栄養成分に絞って強調表示のメッセージを印刷するとしてもよい。
【００５４】
（強調表示のその他の例）
また、上述では、栄養成分が第１の基準値より多い場合に、その栄養成分が多い旨の強調表示をするとしたが、その栄養成分の補給ができる旨の強調表示としては、これに限定されるものではない。その他の例として、基準値テーブル３２に、その栄養成分が含まれている旨の強調表示をすることができる値を第３の基準値として設定し、メッセージ設定テーブル３４にはその栄養成分が含まれている旨の強調表示のメッセージを設定して、「鉄分入り」などと表示してもよい。
【００５５】
また、上述では、栄養成分が第２の基準値より少ない場合に、その栄養成分が少ない旨の強調表示をするとしたが、その栄養成分を適切に摂取できる旨の強調表示としては、これに限定されるものではない。その他の例として、基準値テーブル３２に、その栄養成分が含まれていない旨の強調表示をすることができる値を第４の基準値として設定し、メッセージ設定テーブル３４にはその栄養成分が含まれていない旨の強調表示のメッセージを設定して、「カロリーゼロ」などと表示してもよい。
【００５６】
（その他の態様）
また、上述では情報出力装置としてプリンタを適用する例について記載したが、これに限定されるものではない。情報出力装置のその他の態様として、電子棚札やテーブルオーダー端末などに表示情報を出力して表示させるストアサーバを適用するとしてもよい。具体的には、ストアサーバが上述した強調表示のメッセージを電子棚札やテーブルオーダー端末などの表示器に出力し、表示器に表示させるとしてもよい。
【００５７】
図１２は、上述した強調表示を表示した電子棚札２０６を示す図である。図１２に示すように、電子棚札２０６に強調メッセージを表示することにより、客は商品購入の際に栄養成分についての情報をひと目でとらえることができる。また、テーブルオーダー端末に強調表示メッセージを表示した場合、客はメニューをオーダーする際に栄養バランスを簡単に考慮することができる。
【００５８】
（強調表示以外の表示の例）
尚、栄養成分の含有量に関する表示（情報）は上述の強調表示に限定されるものではない。例えば、ミネラルやビタミンなど健康維持に必要な栄養成分が自治体等の定める基準に適合している場合に、その商品はその栄養成分の栄養機能食品であることを表示することができる。そこで、本実施の形態のラベルプリンタ１は、栄養成分の含有量に関する表示のその他の例として、栄養機能食品である旨の表示（情報）を出力するとしてもよい。
【００５９】
一般的に、栄養機能食品の表示基準は栄養成分の含有量が所定の表示許容範囲内であるか否かによって定められている。そこで、本実施例では、自治体等が定める表示基準に従って、各栄養成分の表示許容範囲を、その範囲の上限値と下限値とによって基準値テーブル３２ｂに設定する。
【００６０】
図１３は、栄養機能食品に対する基準値テーブル３２ｂである。例えば、図１３の基準値テーブル３２ｂには、カルシウムの表示許容範囲が、下限値２１０ｍｇと上限値６００ｍｇとの間の範囲として設定されている。例えば、その商品の１日あたりの摂取量（めやす量）が、下限値２１０ｍｇよりも多く上限値６００ｍｇよりも少ないカルシウムを含有している場合に、その商品はカルシウムの栄養機能食品である旨を表示可能である。
【００６１】
図１４は、栄養機能食品に対するメッセージ設定テーブル３４ｂの一例を示す図である。メッセージ設定テーブル３４ｂには、各栄養成分の栄養機能食品であることを示すメッセージが設定される。
【００６２】
尚、この場合に、商品別栄養成分マスタ３１（図４参照）には、１日あたりの摂取量のめやすを格納しておくとよい。
【００６３】
そして、栄養成分読込部２３は、商品別栄養成分マスタ３１から読み込んだ商品に含まれる各栄養成分の１日あたりの摂取量のめやすと、基準値テーブル３２ｂに設定されている基準値とを比較する。そして、ラベルプリンタ１は、その栄養成分の１日あたりの摂取量のめやすが所定の範囲（表示許容範囲）内である場合には表示基準を満たしていると判定し、メッセージ設定テーブル３４ｂに設定されているその栄養成分に対する情報（例えば、「栄養機能食品（カルシウム）」）を出力する。
【００６４】
上述のように、本実施の形態にかかるラベルプリンタ１は、栄養成分の含有量に関する表示のガイドラインに基づいて、該表示を行うか否かを判定する基準値を設定した基準値テーブル３２を用いて、栄養成分の含有量に関する表示をするかしないかを判定する。従って、当該ガイドラインに従って栄養成分の含有量に関する表示を行うことが可能となり、適切な栄養成分の含有量に関する表示を行うことができる。
【００６５】
さらなる効果や変形例は、当業者によって容易に導き出すことができる。よって、本発明のより広範な態様は、以上のように表わしかつ記述した特定の詳細および代表的な実施形態に限定されるものではない。したがって、添付のクレームおよびその均等物によって定義される総括的な発明の概念の精神または範囲から逸脱することなく、様々な変更が可能である。
【符号の説明】
【００６６】
１  ラベルプリンタ
２  本体
６  第１プリンタ
７  第２プリンタ
１６、１７  プリンタヘッド
Ｐ  ラベル用紙
【先行技術文献】
【特許文献】
【００６７】
【特許文献１】特開２０００−２５５１１４公報
【図１】
2011201293.tif 000003
【図２】
2011201293.tif 000004
【図３】
2011201293.tif 000005
【図４】
2011201293.tif 000006
【図５】
2011201293.tif 000007
【図６】
2011201293.tif 000008
【図７】
2011201293.tif 000009
【図８】
2011201293.tif 000010
【図９−１】
2011201293.tif 000011
【図９−２】
2011201293.tif 000012
【図１０】
2011201293.tif 000013
【図１１】
2011201293.tif 000014
【図１２】
2011201293.tif 000015
【図１３】
2011201293.tif 000016
【図１４】
2011201293.tif 000017